(57)【要約】【課題】映像情報再生装置のユーザーのディスク再生開始ならびにチャプター間のジャンプ操作に対する応答速度を向上させること。【解決手段】ＣＰＵと、命令ＲＯＭと、ＭＰＥＧデコーダとデータメモリとディスクドライブ用バッファメモリと光ディスクドライブと入出力ブロックと映像出力と不揮発性の記憶手段としてメニューバッファメモリにより構成される映像情報再生手段で、光ディスクの最初に再生されるメニュー画面のストリームデータをあらかじめメニューバッファメモリに格納しておくことにより、ディスク投入時、メニューバッファメモリにメニュー画面のストリームデータをメニューバッファメモリから読み出してＭＰＥＧデコーダを用いてデコードを開始し、同時に光ディスクドライブから続きのチャプターのデータを読み出す操作を行うことにより、ディスク投入時に高速に再生を開始することができる。【選択図】図１
2005293783.tif 000002
【特許請求の範囲】
【請求項１】
コンテンツを記録した記録媒体を再生する映像情報再生装置であって、
記録媒体に記録されたデータを読み取る情報読取手段と、
前記情報読取手段により読み取られた情報信号を一時的に格納する第一のメモリ手段と
前記情報読取手段により読み取られた情報信号のうち、コンテンツのメニューデータを格納する第二のメモリ手段と、
記録媒体に記録されたデータを格納する第一のメモリ手段、および第二のメモリ手段からデータを選択するデータ選択手段と、
前記データ選択手段が出力するデータを読み取りデコードするデコーダと、
前記情報読取手段とメモリ手段とデコーダとを制御する制御手段とを有し、
投入された記録媒体のメニューデータが前記第二のメモリ手段に有るとき、前記第二のメモリ手段から前記メニューデータを読み出してデコードに用い、
前記メニューデータが第二のメモリ手段に無いとき、前記メニューデータを記録媒体から読み出してデコードに用い、同時若しくはその後に前記メニューデータを第二のメモリ手段に格納する映像情報再生装置。
【請求項２】
チャプターによって分割されたコンテンツを記録した記録媒体を再生する映像情報再生装置であって、
記録媒体に記録されたデータを読み取る情報読取手段と、
前記情報読取手段により読み取られた情報信号を一時的に格納する第一のメモリ手段と
前記情報読取手段により読み取られた情報信号のうち、チャプターの先頭データを格納する第二のメモリ手段と、
記録媒体に記録されたデータを格納する第一のメモリ手段、および第二のメモリ手段からデータを選択するデータ選択手段と、
前記データ選択手段が出力するデータを読み取りデコードするデコーダと、
前記情報読取手段とメモリ手段とデコーダとを制御する制御手段と、
記録媒体が再生装置に投入された後に、前記第二のメモリ手段に、記録媒体に記録されている全て、若しくは一部のチャプターの先頭データをあらかじめ転送しておき、ユーザーがチャプター間のジャンプを指示した際に、前記第二のメモリ手段から前記指定のチャプターの先頭データを読み出し、デコードに用い、これと並列に記録媒体から前記先頭データに連続するコンテンツデータを読み出すことを特徴とする映像情報再生装置。
【請求項３】
前記第二のメモリ手段を不揮発性のメモリにより構成することを特徴とする請求項１または２に記載の映像情報再生装置。
【請求項４】
前記第二のメモリ手段をハードディスクドライブにより構成することを特徴とする請求項１または２に記載の映像情報再生装置。
【発明の詳細な説明】
【技術分野】
【０００１】
本発明は、映像情報再生装置、および、映像情報再生方法に関するものである。
【背景技術】
【０００２】
近年、動画像や音声を記録した光ディスクを再生するシステムの開発が進み、動画の圧縮方式としてＭＰＥＧ２（Ｍｏｖｉｎｇ  Ｉｍａｇｅ  ｃｏｄｉｎｇ  Ｅｘｐｅｒｔ  Ｇｒｏｕｐ）を採用したＤＶＤビデオは高画質な動画を再生できることから、普及が進んでいる。
【０００３】
ＤＶＤビデオの規格では、動画像コンテンツについてチャプターと呼ばれる頭出し用のラベル付けが可能であり、ＤＶＤソフトの再生時に、ユーザー操作で自由に任意のチャプターにジャンプし再生を開始する機構を備えていた。
【０００４】
またＤＶＤソフトにあらかじめ設定されているチャプターだけでなく、ユーザーによって任意の再生位置にラベルをつけることができ、設定されたラベル位置に自由に移動することが可能な映像再生装置や、ディスクごとに再生が中止された位置を記憶しておくことにより、次回再び同じディスクがプレーヤーに投入されたときに、前回再生していた動画像の続きを再生する機能を持つ映像再生装置（特許文献１  特開２００２-１４２１９５号公報）など、ユーザーがＤＶＤに記録された映像にアクセスしやすくするような機能が実現されていた。
【０００５】
特許文献１の図３において、制御情報７８に含まれる再生制御情報１０２は、以前そのディスクが再生されていた個所の情報を保存しており、このディスクがプレーヤーに投入された際に、再生制御情報１０２を参照して、以前再生していた場所の続きを再生することを可能としていた。
【０００６】
図４は従来の情報再生装置の構成である。
【０００７】
図４において、ＣＰＵ４０２は命令ＲＯＭ４０１に格納されたプログラムを実行し、他の構成要素の制御を行う。
【０００８】
図４において、ＣＰＵ４０２はシステム全体の制御を行う演算装置であり、命令ＲＯＭ４０１に格納されたプログラムを実行することによって他の構成要素を制御する。
【０００９】
ＣＰＵ４０２はデータメモリ４０４に格納されたデータを読み書きすることができる。またＭＰＥＧのストリームデータをデコードするＭＰＥＧデコーダ４０３もデータメモリ４０４に格納されたデータを読み書きすることが可能である。
【００１０】
光ディスクドライブ４０６は投入された光ディスクの読み出し装置であり、読み出したデータをディスクドライブ用バッファメモリ４０５に一時的に格納する。ディスクドライブ用バッファメモリ４０５は、光ディスクドライブ４０６によって読み取られた光ディスクのデータを一定期間格納することによって、光ディスクドライブ４０６の読み出し速度の変化を隠蔽することにより、データバッファとしての役割を果たす。
【００１１】
ＭＰＥＧデコーダ４０３によってデコードされたデータは外部入出力を行う構成要素とのブリッジとなる入出力ブロック４０７を介して、映像出力４０８によって外部に映像ならびに音声として出力される。
【特許文献１】特開２００２−１４２１９５号公報（第１６頁、図３）
【発明の開示】
【発明が解決しようとする課題】
【００１２】
しかしながら、前記従来の構成では、第一の課題として、ディスクをプレーヤーに投入してから再生を開始するまでに、ディスクの種類を判別して、データの読み込みを開始し、ＭＰＥＧデコーダに対してデータを入力する処理の流れとなるので、この処理が終了するまで再生が開始されず、ユーザーの操作に対して大きな遅延が発生するという問題を有していた。
【００１３】
また第二の課題としてチャプターの区切り、あるいはユーザーにより設定された任意のラベル位置にアクセスすることが可能なＤＶＤにおいて、ユーザーの操作によってコンテンツの区切り位置へのジャンプ操作が行われる際にも、前記課題と同様の再生開始の遅延が問題となっていた。
【課題を解決するための手段】
【００１４】
本発明は、チャプターによって分割されたコンテンツを記録した記録媒体を再生するプレーヤーであって、記録媒体に記録されたデータを読み取る情報読取手段と、前記情報読取手段により読み取られた情報信号を一時的に格納する第一のメモリ手段と前記情報読取手段により読み取られた情報信号のうち、コンテンツの先頭データを格納する第二のメモリ手段と、記録媒体に記録されたデータを格納する第一のメモリ手段、および第二のメモリ手段からデータを選択するデータ選択手段と、前記データ選択手段が出力するデータを読み取りデコードするデコーダと、前記情報読取手段とメモリ手段とデコーダとを制御するＣＰＵと、ＣＰＵとデコーダで共有してアクセスすることができる第三のメモリ手段と、デコーダによりデコードされた映像、および、音声信号を外部表示機器に表示する出力インタフェースを備え、ユーザーの操作に対し、あらかじめ第二のメモリ手段に格納されたディスクの先頭データないしチャプターの先頭データを用いて、ディスク投入時ないしユーザーのチャプター移動操作に対して、情報読取手段により読み取られたデータを待つことなくディスクの再生を開始することができることを特徴とする映像情報再生装置に関するものである。
【発明の効果】
【００１５】
本発明により、記録媒体の読み出し速度が比較的遅い装置において、情報の読み出しによる遅延を感じさせることのない映像情報再生装置を実現することができる。
【発明を実施するための最良の形態】
【００１６】
以下本発明の実施の形態について、図面を参照しながら説明する。
【００１７】
（実施の形態１）
図１は、第一の発明の実施の形態１における映像情報再生装置のシステム構成図である。
【００１８】
図１において、ＣＰＵ１０２はシステム全体の制御を行う演算装置であり、命令ＲＯＭ１０１に格納されたプログラムを実行することによって他の構成要素を制御する。
【００１９】
ＣＰＵ１０２はデータメモリ１０４に格納されたデータを読み書きすることができる。またＭＰＥＧのストリームデータをデコードするＭＰＥＧデコーダ１０３もデータメモリ１０４に格納されたデータを読み書きすることが可能である。
【００２０】
光ディスクドライブ１０６は投入された光ディスクの読み出し装置であり、読み出したデータをディスクドライブ用バッファメモリ１０５に一時的に格納する。ディスクドライブ用バッファメモリ１０５は、光ディスクドライブ１０６によって読み取られた光ディスクのデータを一定期間格納することによって、光ディスクドライブ１０６の読み出し速度の変化を隠蔽することにより、データバッファとしての役割を果たす。
【００２１】
ＭＰＥＧデコーダ１０３によってデコードされたデータは外部入出力を行う構成要素とのブリッジとなる入出力ブロック１０７を介して、映像出力１０８によって外部に映像ならびに音声として出力される。
【００２２】
メニューバッファメモリ（ＭＢＭ）１０９は、以前投入された光ディスクに格納されている最初にデコードされるＭＰＥＧのストリームデータを複数格納し、これを管理するためのディスクＩＤ管理テーブルを保持している不揮発性のメモリである。
【００２３】
ＣＰＵ１０２とＭＰＥＧデコーダ１０３とデータメモリ１０４とメニューバッファメモリ１０９と入出力ブロック１０７は直接共有バス１１０に接続されており、光ディスクドライブ１０６はディスクドライブ用バッファメモリ１０５を介して、共有バス１１０に同様に接続されている。
【００２４】
かかる構成による、光ディスク再生の処理を図５を用いて説明する。
【００２５】
図５に示すＳＴＥＰ  Ｓ０２によって映像情報再生装置に投入されたディスクに対し、ＳＴＥＰ  Ｓ０３で光ディスクドライブ１０６によってディスクそれぞれに付与されているＩＤを読み取る。
【００２６】
ＳＴＥＰ  Ｓ０４で読み取ったディスクＩＤが、メニューバッファメモリに格納されている管理テーブルが管理するディスクＩＤと一致するかどうかＣＰＵ１０２で判断し、一致した場合にＳＴＥＰ  Ｓ０６においてＭＢＭ１０９に格納されているＭＰＥＧのストリームデータをデータメモリ１０４にロードし、ＭＰＥＧデコーダ１０３はデータメモリ１０４に格納されているＭＰＥＧのストリームデータのデコードを開始する。デコードした結果は入出力ブロック１０７を介して映像出力１０８を用いて外部に出力する。
【００２７】
またこれと同時に、ＳＴＥＰ  Ｓ０６にてＭＰＥＧデコーダ１０３によってデコードされた結果から判別した、次に移動する可能性があるチャプターの先頭データを光ディスクドライブ１０６によってディスクから読み取り、上記動作と同様にデータメモリ１０４に格納しておく。
【００２８】
なおＣＰＵ１０２にて、ＳＴＥＰ Ｓ０４で読み取ったディスクＩＤが、メニューバッファメモリに格納されている管理テーブルが管理するディスクＩＤと一致しないと判断された場合には、即時にディスクドライブ用バッファメモリ１０５に格納されたメニューデータをデータメモリ１０４にコピーし、ＭＰＥＧデコーダ１０３を用いてデコードを行う。
【００２９】
ＳＴＥＰ  Ｓ０７でユーザーの操作の指示を待機したのちに、特定のチャプターへのジャンプ操作が指示された場合、すでにデータメモリ１０４に格納されたチャプターの先頭ストリームデータを用いてＭＰＥＧデコーダ１０３を用いてＭＰＥＧのデコードを開始する。また同時に光ディスクドライブ１０６によって、支持されたチャプターのデータのうち、データメモリ１０４に格納されていたデータの続きを読み込み、ディスクドライブ用バッファメモリ１０５に読み出されたデータをデータメモリ１０４にコピーする。
【００３０】
ＳＴＥＰ  Ｓ０９であらかじめＭＢＭ１０９からコピーしたデータがＭＰＥＧデコーダ１０３でデコードされ終えたら、ディスクドライブ用バッファメモリ１０５からデータメモリ１０４にコピーされたデータを継続して用い、ＭＰＥＧデコーダ１０３を用いてデコードを続ける。
【００３１】
このように処理を進めることにより、ユーザーが映像情報再生装置にディスクを投入したのちに、即時に再生を開始することができ、またチャプターへのジャンプ操作が行われた場合にも、即時に再生を開始することができる。
【００３２】
なお、本実施の形態において、メニューデータを保持する記憶手段として、不揮発性のメモリとしてメニューバッファメモリ１０９を設けたが、ハードディスクとＤＶＤのハイブリッドレコーダーによるＤＶＤの再生動作の場合、図３に示すハイブリッドレコーダーのシステム構成図において、あらかじめ備え付けられているハードディスクドライブを不揮発性の記憶手段として用いることによっても、同様の効果を得ることが可能である。
【００３３】
また図１のディスクドライブ用バッファメモリ１０５とデータメモリ１０４は物理的に共有のメモリデバイスであっても良い。
【００３４】
（実施の形態２）
図２は、第二の発明の実施の形態２における映像情報再生装置のシステム構成図である。図２において、図１および図３と同じ構成要素については説明を省略する。
【００３５】
図２において、チャプターバッファメモリ２０９は、ディスク投入時にディスクに格納されているデータのうち、チャプターの先頭に位置するデータを、ディスクに格納されている最初のデータを再生している間、ないしメニュー画面でのユーザーの入力待ち時間の間に、あらかじめ先読みして複数格納しており、これを管理するためのチャプター管理テーブルを保持している不揮発性のメモリである。
【００３６】
コンテンツの最初のデータ再生中にデータを先読みする場合、ユーザーの入力待ちメニューがないコンテンツでも、データのバッファリングができるというメリットがある。
【００３７】
またメニュー画面のユーザーの入力待ちの際に、チャプターの先頭データを先読みする方法の場合、特別高速な情報読み取り装置を使うことなく、本発明の実現が可能である。
【００３８】
ＣＰＵ２０２とＭＰＥＧデコーダ２０３とデータメモリ２０４とチャプターバッファメモリ２０９と入出力ブロック２０７は直接共有バス２１０に接続されており、光ディスクドライブ２０６はディスクドライブ用バッファメモリ２０５を介して、共有バス２１０に同様に接続されている。
【００３９】
かかる構成による、光ディスク再生の処理を図６を用いて説明する。
【００４０】
図６において、ＳＴＥＰ  Ｓ２２おいて光ディスクを再生している際に、ＳＴＥＰ  Ｓ２３においてユーザーよりチャプター間のジャンプ操作が指示された場合に、ＳＴＥＰ  Ｓ２４においてチャプターバッファメモリ２０９に格納されているチャプター管理テーブルで管理されているチャプターと、指示されたチャプターが一致するかどうかをＣＰＵ２０２が判断し、一致した場合、ＳＴＥＰ  Ｓ２６にてチャプターバッファメモリ２０９に格納されているチャプターの先頭データをデータメモリ２０４にコピーする。
【００４１】
データメモリ２０４にコピーされたチャプターの先頭データはＭＰＥＧデコーダ２０３によってデコードされたのちに、入出力ブロック２０７を介して映像出力２０８を用いて外部に出力される。またこれと同時にチャプターバッファメモリ２０９に格納されていたチャプターの先頭データの続きをディスクから読み出すようＣＰＵ２０２は光ディスクドライブ２０６に指示する。
【００４２】
光ディスクドライブ２０６によって読み出されたデータはディスクドライブ用バッファメモリ２０５を介して、データメモリ２０４にコピーされ、ＳＴＥＰ  Ｓ２７においてＣＰＵ２０２がチャプターヘッドバッファ２０９に格納されていたデータがすべてデコードされたことを判断し、この続きとしてＳＴＥＰ  Ｓ２８でディスクドライブ用バッファメモリ２０５からデータメモリ２０４にコピーしたデータを用いてＭＰＥＧデコーダ２０３がデコードを継続する。
【００４３】
このように処理を進めることにより、ユーザーが映像情報再生装置にて光ディスクを再生時に、チャプター間のジャンプ操作を行った時に、この操作に対して即時に再生を開始することができ、ユーザーの操作に高速に応答する映像情報装置を提供することが可能となる。
【００４４】
（実施の形態３）
第三の発明の実施の形態３における映像情報再生装置のシステム構成図は、以下に説明する事項を除き図２と同様である。
【００４５】
チャプターバッファメモリ２０９として、ディスクに存在するチャプターの先頭データをすべて格納することができない小容量のものであった場合にも、図７に示すように処理を進めることで、第二の発明と同様の効果を得ることが可能である。
【００４６】
前後のチャプターの先頭データは、コンテンツの再生中にあるチャプターの先頭を追加するたびに更新される。
【００４７】
もしくはユーザーの操作により、あるチャプターの先頭へのジャンプ操作が指示された場合には、まず指定されたチャプターの前後の先頭データを先読みしてチャプターバッファメモリ２０９に格納したのちに、指定されたチャプターの再生を開始する。
【００４８】
図７におけるＳＴＥＰ  Ｓ４４において、ユーザーによって指示されたジャンプ先のチャプターが現在の再生位置の直前および直後であった場合のみ、チャプターバッファメモリ２０９に格納されたチャプターの先頭データを用いて高速に次のチャプターの再生を開始することが可能となる。
【００４９】
これはユーザーから指示されるチャプターのジャンプ操作として、現在の再生位置の直前および直後が指定される可能性が高いからであり、この特徴を利用して、小容量の不揮発性のメモリ手段を使用する場合でも第二の発明と同様の効果を得ることが可能である。
【００５０】
なお、現在再生中の直前および直後のチャプターの先頭データを不揮発性の記憶手段に格納しておく方法は、現在再生中の前後のチャプターを選択的に格納しておく、あるいはユーザーの操作傾向に応じて全チャプターのうちの一部を選び出して格納しておくことによっても同様の効果を得ることが可能である。
【００５１】
上記３つの全ての実施例において、ＤＶＤの例を用いて説明したが、比較的低速大容量の媒体であれば、ＨＤＤ、ＣＤ等の他の媒体でも同様の効果を発揮する。
【産業上の利用可能性】
【００５２】
本発明により、記録媒体の読み出し速度が比較的遅い装置において、情報の読み出しによる遅延を感じさせることのない映像情報再生装置を実現することができる。
【図面の簡単な説明】
【００５３】
【図１】本発明の実施の形態１におけるＤＶＤプレーヤーのシステム構成図
【図２】本発明の実施の形態２におけるＤＶＤプレーヤーのシステム構成図
【図３】本発明の実施の形態３におけるＨＤＤとＤＶＤのハイブリッド型ビデオレコーダーのシステム構成図
【図４】従来のＤＶＤプレーヤーのシステム構成図
【図５】第１の発明における再生動作を示すフローチャート
【図６】第２の発明における再生動作を示すフローチャート
【図７】第３の発明における再生動作を示すフローチャート
【符号の説明】
【００５４】
１０１    命令ＲＯＭ
１０２    ＣＰＵ
１０３    ＭＰＥＧデコーダ
１０４    データメモリ
１０５    ディスクドライブ用バッファメモリ
１０６    光ディスクドライブ
１０７    入出力ブロック
１０８    映像出力
１０９    メニューバッファメモリ
１１０    映像情報再生装置の共有バス
２０１    命令ＲＯＭ
２０２    ＣＰＵ
２０３    ＭＰＥＧデコーダ
２０４    データメモリ
２０５    ディスクドライブ用バッファメモリ
２０６    光ディスクドライブ
２０７    入出力ブロック
２０８    映像出力
２０９    チャプターバッファメモリ
２１０    映像情報再生装置の共有バス
３０１    命令ＲＯＭ
３０２    ＣＰＵ
３０３    ＭＰＥＧデコーダ
３０４    データメモリ
３０５    ディスクドライブ用バッファメモリ
３０６    光ディスクドライブ
３０７    入出力ブロック
３０８    映像出力
３０９    ハードディスクドライブ用バッファメモリ
３１０    ハードディスクドライブ
３１１    映像情報再生装置の共有バス
４０１    命令ＲＯＭ
４０２    ＣＰＵ
４０３    ＭＰＥＧデコーダ
４０４    データメモリ
４０５    ディスクドライブ用バッファメモリ
４０６    光ディスクドライブ
４０７    入出力ブロック
４０８    映像出力
４０９    映像情報再生装置の共有バス
【図１】
2005293783.tif 000003
【図２】
2005293783.tif 000004
【図３】
2005293783.tif 000005
【図４】
2005293783.tif 000006
【図５】
2005293783.tif 000007
【図６】
2005293783.tif 000008
【図７】
2005293783.tif 000009